(57)【要約】  本発明は、それぞれが保護ケース（６）を有する複数のブリスタユニット（１）が設けられており、保護ケース内にブリスタストリップ（４）が配置されており、ブリスタストリップ（４）が保護ケース（６）に定置に結合されており、保護ケースが開放されることができ、また、適切ならば、ブリスタユニット（１）を収容するための外部パッケージ（５，５ａ）が設けられている、新規の形式の薬剤パックに関する。
2007511254.tif 000002
【特許請求の範囲】
【請求項１】
薬剤パックにおいて、それぞれが保護ケースを有する複数のブリスタユニットが設けられており、前記保護ケース内にブリスタストリップが配置されており、該ブリスタストリップが保護ケースに定置に結合されており、保護ケースが開放されることができ、ブリスタユニットを収容するための外部パッケージが設けられていることを特徴とする、薬剤パック。
【請求項２】
薬剤パックにおいて、それぞれが保護ケースを有する複数のブリスタユニットが設けられており、前記保護ケース内にブリスタストリップが配置されており、該ブリスタストリップが保護ケースに定置に結合されており、保護ケースが開放されることができ、ブリスタユニットを収容するための外部パッケージが設けられており、該外部パッケージが、パック内容物が外部パッケージの内部において固定されることができるように構成されていることを特徴とする、薬剤パック。
【請求項３】
前記外部パッケージが、互いに結合されていない複数の個々の部分から成る、請求項２記載の薬剤パック。
【請求項４】
前記外部パッケージが、ベース箱とクランプスリーブとから成る、請求項３記載の薬剤パック。
【請求項５】
外部パッケージに、外部パッケージを再閉鎖するための装置が備えられている、請求項２記載の薬剤パック。
【請求項６】
前記外部パッケージが、該外部パッケージを再閉鎖するための装置を有しており、該外部パッケージを再閉鎖するための装置が、外部パッケージの他の部分から分離できるように外部パッケージに結合されている、請求項２記載の薬剤パック。
【請求項７】
前記外部パッケージが、該外部パッケージを再閉鎖するための装置を有しており、該外部パッケージを再閉鎖するための装置が、ヒンジ式蓋、ヒンジ式スリーブ又はシールストラップを有している、請求項２記載の薬剤パック。
【請求項８】
前記外部パッケージの内部にパック内容物の保持のための手段が設けられている、請求項２記載の薬剤パック。
【請求項９】
前記外部パッケージの内部に弾性タブが設けられている、請求項２記載の薬剤パック。
【請求項１０】
前記外部パッケージが、弾性タブを備えたベース箱を有する、請求項２記載の薬剤パック。
【請求項１１】
前記外部パッケージが、弾性タブを備えたベース箱を有する、請求項５から７までのいずれか１項記載の薬剤パック。
【請求項１２】
前記ブリスタユニットが解離可能に互いに結合されておりかつ、折り畳まれた時に個々のブリスタユニットが互いに同一平面になるように折り畳まれることができる、請求項１から１１までのいずれか１項記載の薬剤パック。
【請求項１３】
前記薬剤パックが、それぞれが５個のブリスタキャビティを備えた３つ又は６つのブリスタユニットを有するか、又は薬剤パックが、それぞれ７個のブリスタキャビティを備えた２つ又は４つのブリスタユニットを有する、請求項１１記載の薬剤パック。
【請求項１４】
透明フィルムが薬剤パック全体を包囲している、請求項１から１３までのいずれか１項記載の薬剤パック。
【請求項１５】
薬剤パックにおいて、それぞれが保護ケースを有する複数のブリスタユニットが設けられており、前記保護ケース内にブリスタストリップが配置されており、該ブリスタストリップが保護ケースに定置に結合されており、保護ケースが開放されることができ、ブリスタユニットを収容するための外部パッケージが設けられており、該外部パッケージが、外部パッケージを再閉鎖するための装置と、包装体としてのフィルムとを有することを特徴とする、薬剤パック。
【請求項１６】
薬剤パックにおいて、それぞれが保護ケースを有する複数のブリスタユニットが設けられており、前記保護ケース内にブリスタストリップが配置されており、該ブリスタストリップが保護ケースに定置に結合されており、保護ケースが開放されることができ、ブリスタユニットを収容するための外部パッケージが設けられており、該外部パッケージが、弾性タブを備えたベース箱と、包装体としてのフィルムとを有することを特徴とする、薬剤パック。
【請求項１７】
薬剤パックにおいて、それぞれが保護ケースを有する複数のブリスタユニットが設けられており、前記保護ケース内にブリスタストリップが配置されており、該ブリスタストリップが保護ケースに定置に結合されており、保護ケースが開放されることができ、ブリスタユニットを収容するための外部パッケージが設けられており、該外部パッケージが、弾性タブを備えたベース箱と、外部パッケージを再閉鎖するための装置と、包装体としてのフィルムとを有することを特徴とする、薬剤パック。
【請求項１８】
薬剤パックにおいて、それぞれが保護ケースを有する複数のブリスタユニットが設けられており、前記保護ケース内にブリスタストリップが配置されており、該ブリスタストリップが保護ケースに定置に結合されており、保護ケースが開放されることができ、ブリスタユニットを収容するための外部パッケージが設けられており、該外部パッケージが、弾性タブを備えたベース箱と、外部パッケージの他の部分から解離されることができる、外部パッケージを再閉鎖するための装置と、包装体としてのフィルムとを有することを特徴とする、薬剤パック。
【請求項１９】
患者情報及び／又は使用指示が書かれた紙片を包含している、請求項１から１８までのいずれか１項記載の薬剤パック。
【発明の詳細な説明】
【技術分野】
【０００１】
本発明は、薬剤を包含し、保護ケースを有する、ブリスタストリップの形式の新規のタイプの薬剤パックに関する。このパックの場合、ブリスタストリップは不注意な損傷又は破壊から保護されており、患者は、パック内容物の一部を除去又は解離する可能性を与えられ、パック内容物の除去又は解離された一部自体も、不注意な損傷又は破壊から保護されている。
【０００２】
従来技術
ブリスタパックは、錠剤又は粉末の状態の薬剤を投与するための概して公知の装置である。このようなブリスタパックの外部パッケージは、向き合った短い狭い端部において開放されることができる概して矩形の箱である。これは、押込みタブを引き出すことによって行われ、両方の押込みタブは、共通のブランクから、この箱の他の部分と１つの部材として製造される。パック内容物を識別するために、この箱には、最も重要な患者情報、例えば、薬剤の名称、ロゴ、指示、強さ、パックサイズ、使用期限等が印刷されることができ、この箱は、１つ又は複数のブリスタストリップと、患者のための所要の詳細な情報を含むパック挿入物が充填される。ブリスタストリップは通常、種々異なる材料の複数の層から形成されている。したがって、例えば、適切な材料、プラスチック又はボードの２つのベースパネルの間に、２つの別の材料層を挿入することが可能であり、そのうち一方は、薬剤が配置されるブリスタキャビティを形成し、他方は、容易に破られるブリスタベースを形成している、又は２層ブリスタ構造が選択されることができ、この場合、キャビティが上部シートに形成され、次いで上部シートが下方から別のシート、すなわち容易に破られる材料から形成されたブリスタベースで被覆され、その結果、薬剤が配置されたキャビティが閉鎖される。
【０００３】
商業的に利用可能なブリスタストリップを製造するために知られる、当業者に知られた通常の材料は、例えば、ラミネートアルミニウム箔、ＰＶＣ（塩化ポリビニル）又はＰＶｄＣ（塩化ポリビニリデン）箔又はこれらの組み合わせ、又はＰＰ（ポリプロピレン）箔又は前記材料の組み合わせ又はラミネートである。
【０００４】
薬剤は、概して、薬剤がブリスタベースと接触している個所において、ブリスタベースの容易に破られる材料を破断することによって、概して圧力を加えることによって、これらのブリスタパックから除去される。
【０００５】
例えば、薬剤をブリスタストリップから取り出すために又はブリスタストリップを、複数のブリスタストリップを含む外部パッケージから取り出すために、外部パッケージ（箱）がブリスタストリップから分離されているならば、また、例えば外部パッケージが紛失又は廃棄されたのでブリスタストリップが外部パッケージに戻されないならば、又は、外部パッケージに含まれた全てのブリスタストリップの代わりに１つのブリスタストリップのみが搬送されるならば、外部パッケージから取り出されたブリスタストリップ及びそこに包含された薬剤は、もはや、例えば搬送中に圧力及び衝撃によって生ぜしめられる損傷から十分に保護されていない。さらに、個々のブリスタストリップが外部パッケージから分離された場合、薬剤の性質に関してもはや十分な識別がなく、他の薬剤との相互作用が排除されることができない。
【０００６】
この欠点を排除するために、ブリスタストリップのための様々な外部パッケージが従来技術に記載されており、ブリスタストリップと外部パッケージとは互いに結合されており、これにより、包含された薬剤のための永久保護を提供する。
【０００７】
ドイツ連邦共和国特許出願公開第４４２９５０３号明細書には、折畳み可能なブリスタ装置を備えたコンパクトなブリスタパックが記載されており、この場合、１つ又は複数のストリップ及びパック挿入物は、いわば永久に固定されたユニットを形成している。繰返し開放されることができる接着剤シールは、ケースを繰返し開閉することを可能にし、少なくとも１つの錠剤又は同様のものが、その都度、ブリスタストリップから又はブリスタストリップのうちの１つから取り出されることができる。２つのブリスタストリップは、好適にはウェブを介して互いに結合されており、ウェブは、ケースのためのブランクのより小さな部分の１つに接着されている。ブリスタパックが折り畳まれて閉じられた後、ケースのためのブランクのより大きな部分は、ブリスタストリップのブリスタベースを被覆し、これにより、これらは、不注意な損傷から保護される。
【０００８】
国際公開第９８／００３５１号パンフレットには、コンパクトな折畳み可能なブリスタパックが記載されており、この場合、特にブリスタ装置が薄い及び／又はフレキシブルな材料から形成されている場合に支持手段がブリスタ装置を安定化及び保護する。ブリスタパックは、第１のブリスタ部分と第２のブリスタ部分とから成るブリスタ装置を有しており、各部分は、平行な２列のブリスタを有している。ブリスタパックが折り畳まれた状態である場合、ブリスタは互いの間にはまり込み、１つのブリスタ層を形成する。ブリスタ装置は支持手段に結合されており、支持手段自体は保護手段（ケース）に結合されており、ブリスタパック全体は相互結合されたユニットを形成している。
【０００９】
これらのブリスタパックの欠点は、薬剤パックの全てのブリスタ又はブリスタストリップが、外部パッケージに定置に結合されており、その結果、薬剤パックの内容物から、不注意な損傷から保護されたブリスタ又はブリスタストリップを含むあらゆる一部を除去又は解離することができない。しかしながら、保護されたブリスタストリップを備えた一部のこのような除去又は解離は望まれる。なぜならば、多くの場合、薬剤パック全体を持ち歩くよりも、パック内容物の部分を持ち歩く方が実用的だからである。このことの例は、日中摂取されるべき一日用量を持ち歩く場合、又は例えば旅行の場合に数日分の用量を持ち歩く場合である。この形式で除去又は解離されたパック内容物の一部は、パック内容物全体よりも容易かつ慎重に搬送されることができる。
【００１０】
この欠点を排除するために、ブリスタストリップのための様々な外部パッケージが従来技術に記載されており、この場合、パック内容物の一部は解離又は除去されることができ、これらの一部のブリスタストリップは、ブリスタストリップを不注意な損傷から保護する折畳み可能なケースを有している。
【００１１】
英国特許出願第２３６６２８６号明細書には、カードの形式の折畳み可能なブリスタパックが記載されており、カードは折畳み可能な背部エレメントと、縁部に配置された接着剤ストリップと、この接着剤ストリップに固定されたブリスタストリップとを有しており、カードは、カバーを形成するように折り畳まれることができる。カードは、接着剤ストリップに面した側において別の部分を有しており、この部分は軟弱な線に沿って除去可能であり、特に、ブリスタストリップが、背部エレメントの隣接する連続に固定されることができるか、又は複数のブリスタストリップが、１つの背部エレメントに固定されることができる。
【００１２】
米国特許第５２４２０５５号明細書には、薬剤の個々の用量を提供するためのパックが記載されており、このパックは、所定の数のシールされた領域を規定するベースパネルを有している。ベースパネルを被覆するためのカバーパネルは、ベースパネル上に旋回可能に取り付けられている。複数のこのようなパックは例えば容器に貯蔵されることができ、２つ以上のパックの個々のパック又はグループが、この容器から１つずつ相前後して除去されることができる。
【００１３】
しかしながら、これらの薬剤パックの欠点は、選択的に提供された外部パッケージ、例えば箱と、パック内容物又はパック内容物の部分とが、パック内容物の部分の除去又は解離の後に、例えば貯蔵中又は搬送中にパック内容物の部分が滑り出した又は落下したならば、不注意に互いに分離されるおそれがある。この理由から、これらの薬剤パックの場合、時には、パック内容物全体又は未使用のブリスタストリップ及び患者情報紙片がコンパクトな形式で所望の時間の間束ねられることができることを保証することができない。したがって、幾つかの状況においては、例えば患者情報紙片が外部パッケージから滑り出ること、又は患者がパック内容物を全て使用する前に紛失されることさえも回避することができない。したがって、患者のためのこの重要な情報はもはや必要なときにすぐに入手されることができない。
【００１４】
発明の説明
したがって、本発明の目的は、薬剤パックであって、この薬剤パックからブリスタユニットの形式のパック内容物の一部が除去又は解離されることができ、除去又は解離されたブリスタユニットが不注意な損傷又は破壊から保護されているような薬剤パックを利用可能にすることである。
【００１５】
この目的は、少なくとも２つの複数のブリスタユニットが設けられており、該ブリスタユニットがそれぞれ保護ケースを有しており、該保護ケース内にブリスタストリップが配置されており、ブリスタストリップが保護ケースに定置に結合されており、保護ケースが広げられ又は開放されることができ、また、適切ならば、ブリスタユニットを収容するための外部パッケージが設けられている、薬剤パックによって達成される。
【００１６】
本発明の別の目的は、薬剤パックであって、この薬剤パックからブリスタユニットの形式のパック内容物の一部が除去又は解離されることができ、除去又は解離されたブリスタユニットが不注意な破壊又は損傷から保護されており、さらに、パック内容物が外部パッケージ内に貯蔵されることができ、この外部パッケージからパック内容物が不注意に取り出されることができない薬剤パックを利用可能にすることである。
【００１７】
この目的は、薬剤パックであって、少なくとも２つの複数のブリスタユニットが設けられており、該ブリスタユニットがそれぞれ保護ケースを有しており、該保護ケース内にブリスタストリップが配置されており、ブリスタストリップが保護ケースに定置に結合されており、保護ケースが開かれる又は開放されることができ、又はブリスタユニットを収容するための外部パッケージが設けられており、該外部パッケージが、パック内容物が不注意に取り出されることができないように、パック内容物が外部パッケージの内部に固定されることができるように構成されている。
【００１８】
したがって、本発明の内容は、少なくとも２つの複数のブリスタユニットが設けられており、該ブリスタユニットがそれぞれ保護ケースを有しており、該保護ケース内にブリスタストリップが配置されており、ブリスタストリップが保護ケースに定置に結合されており、保護ケースが広げられ又は開放されることができ、また、適切ならば、ブリスタユニットを収容するための外部パッケージが設けられている、薬剤パックである。
【００１９】
本発明の別の内容は、薬剤パックであって、少なくとも２つの複数のブリスタユニットが設けられており、該ブリスタユニットがそれぞれ保護ケースを有しており、該保護ケース内にブリスタストリップが配置されており、ブリスタストリップが保護ケースに定置に結合されており、保護ケースが開かれる又は開放されることができ、又はブリスタユニットを収容するための外部パッケージが設けられており、該外部パッケージが、パック内容物が不注意に取り出されることができないように、パック内容物が外部パッケージの内部に固定されることができるように構成されている薬剤パックである。
【００２０】
本発明による薬剤パックにより、患者は、所要の一日用量又は数日分の用量を含む１つ又は２つ以上のブリスタユニット（以下ブリスタウォレットと呼ぶ）を、しかも単純かつ慎重な形式で持ち歩くことができる。ブリスタユニットが慣用の薬剤パックよりも小さいということは、例えば、ハンドバッグや、シャツ又はジャケットのポケットの中に入れて簡単に持ち運べるということである。慣用の薬剤パックから個々のブリスタストリップを持ち運ぶのと比べて、ブリスタユニットの保護ケースは、ひょっとしたら容易に変形可能なブリスタストリップのための保護を提供し、ブリスタ内容物（薬剤）の取出し中又はその後にブリスタストリップに所要の形状安定性を与えることができる。さらに、ブリスタストリップ自体と比較して、本発明は、保護ケースに、最も重要な患者情報、例えば薬剤名、ロゴ、指示、強さ、パック寸法、使用期限等を印刷するという可能性を提供し、患者が常に、ブリスタストリップとブリスタストリップに含まれた薬剤とに関してこの情報を利用可能であることを保証するという可能性を提供する。選択的に設けられる外部パッケージは、外部パッケージに貯蔵されたパック内容物が外部パッケージの内部に固定されるように構成されており、パック内容物又はその一部の直線的な取り出しは依然として可能であるが、パック内容物は外部パッケージから不注意に取り出されることはできない。パック内容物の部分が外部パッケージから取り出された場合でさえも、外部パッケージ内容に依然として残っているパック内容物の残りは、外部パッケージの内部において固定されている。パック内容物が外部パッケージの内部において固定されてないならば、パック内容物又はその部分の積重ねは永久に保証されるわけではない。例えば、外部パッケージが箱であり、この箱から、例えば薬剤パックの貯蔵又は搬送中にパック内容物が不注意に滑り出る又は落下すると、パック内容物又はその部分は外部パッケージから解離されるか又はパック内容物又はその部分は紛失される。
【００２１】
本発明によれば、保護ケースは、その中に封入されたブリスタストリップを不注意な破壊又は損傷から保護する保護ケースである。したがって、ブリスタに機械的動作（例えば搬送中の衝撃及び圧力）に対する十分な保護を提供するのに適した材料から形成された保護ケースが好適である。
【００２２】
保護ケースは好適には、開かれることができる保護ケースとして設計されている、すなわち、保護ケースの面は少なくとも実質的に１つの平面上に開かれることができ、ブリスタストリップは開かれた状態においてアクセス可能にされる。したがって、開かれることができる保護ケースは少なくとも３つの面、すなわち後面と、前面と、背部とから成っており、保護ケースが折り畳まれた状態にあってブリスタストリップが保護ケースに固定されている場合には、後面がブリスタベースをカバーし、前面が、ブリスタキャビティを備えたブリスタ面をカバーし、背部は保護ケースの後面と前面とを接続し、背部と後面との間、及び背部と前面との間の分離線は、開かれる保護ケースの折り線を成している。折り線の間の範囲において、背部は好適には、その幅がほぼブリスタキャビティの位置におけるブリスタストリップの高さに相当するように構成されている。これにより、折り畳まれた状態における保護ケースの前面と後面とは、背部の幅の間隔を置いて互いに平行に位置させられる。折り畳まれた形式において、保護ケースは側部に開口を有することができる。
【００２３】
保護ケースのために使用されるブランクは、主に、ブリスタストリップの寸法に適応させられる。保護ケースのために、実質的に矩形のブランクが好適である。後面は、好適には矩形であり、保護ケースに固定されたブリスタストリップのブリスタベース全体をカバーすることができるように寸法決めされている。後面は好適にはブリスタストリップよりも大きく、ブリスタストリップは後面よりも突出することがなく、保護ケースが閉鎖されている場合、ブリスタストリップは外部から容易に作用されることはできない。保護ケースの前面は、折り畳まれた状態において、前面が実質的に後面に重なり合うように設計されるように寸法決めされることができる。しかしながら、保護ケースの前面は、部分的にのみ後面に重なり合うことができる、例えば前面の角隅が丸く切断されていることができる。しかしながら、前面は好適には、少なくともブリスタキャビティを有するブリスタストリップの領域が保護ケースの前面によってカバーされるように寸法決めされている。
【００２４】
望まれるならば、本発明による薬剤パックの保護ケースにはクロージャが設けられることができ、このクロージャによって保護ケースは折り畳まれた状態に閉鎖されることができる。クロージャは、保護ケースの前面と後面とを互いに結合することによって、保護ケースの不注意な開放を回避するために働く。言及されてよい例は、再閉鎖を許容せずかつ紙又はフィルム（適切ならば、穴が開けられている）のシール又は貼付ラベルに基づくクロージャ、又は再閉鎖を許容しかつ自己接着剤又は閉鎖／再閉鎖ラベルに基づくクロージャである。別の設計において、保護ケースの前面は、保護ケースの端面又は保護ケースの後面における差込みタブ又は接着剤スポット又は同様のものによって閉鎖されることができる。本発明によれば、クロージャは、好適には、必要に応じて閉鎖及び再開放されることができるように構成されている。このようなクロージャの例は、再閉鎖可能な接着剤ストリップ、ベルクロストリップ、又は接着剤ストリップ又は同等に機能するクロージャである。
【００２５】
本発明による薬剤パックの変化実施例は、保護ケースにおける別の面、すなわち端面又はロッキング面を有している。この端面又はロッキング面は、前面には結合されておらず、後面にのみ結合されている。後面への端面／ロッキング面の結合は、好適には折り線を介しており、この折り線は、例えば、後面と背部との間の折り線に向き合っており、したがって、これらの２つの折り線は原則的に平行な線を成しているか、又は、択一的にしかしながら、後面と背部との間の折り線と、後面と端面／ロッキング面との間の折り線とは、実質的に互いに直角に配置されている。
【００２６】
ブリスタストリップは、好適には、ブリスタストリップと保護ケースとの分離を回避し、ブリスタストリップの永久保護を保証するために、保護ケースに定置に結合されている。ブリスタストリップは、ほぼケースに糊付け、ピン留め、溶接、シール又はその他の同等の方法で固定されることができる。ブリスタストリップと保護ケースとの糊付けによる結合は特に好適である。
【００２７】
本発明による薬剤パックの好適な実施形態において、端面は折り線を介してのみ後面に結合されており、ブリスタストリップは、ブリスタストリップが保護ケースの端面にのみ結合されていて、ひいては後面と中間面との間の折り線を中心に旋回可能に保護ケースに結合されているように、保護ケースに結合されている。ブリスタキャビティを備えたブリスタ面への端面の結合は好適である。端面は、好適には、ブリスタキャビティを備えたブリスタ面の部分のみ、好適にはブリスタキャビティが配置されていない部分領域のみをカバーしている。この実施形態の開放に基づき、前面は、まず、前面と背部との間の折り線と、背部と後面との間の折り線とに沿って折り曲げることによって開かれ、この手段によってブリスタストリップはアクセス可能にされる。次いで、ブリスタストリップは、後面と端面との間の折り線に沿って、端面と取り付けられたブリスタストリップとを広げることによって、後面から離れるように広げられることができる。これらの広げ作業の後、ブリスタベースはもはや後面上に位置せず、ブリスタキャビティを備えたブリスタ面は自由にアクセス可能である。ブリスタキャビティに圧力を加えることにより、ブリスタキャビティに包含された薬剤は、押し破られたブリスタベースから押し出され、ブリスタユニットから取り出されることができる。
【００２８】
本発明による薬剤パックの別の好適な実施形態において、ブリスタストリップは、ブリスタストリップがブリスタストリップの面のほとんど全体に亘って保護ケースの後面に定置に結合されるように、保護ケースに固定されており、これにより、保護ケースの後面が永久に面のほとんど全体に亘ってカバーする。ブリスタキャビティが保護ケースの後面上に位置する位置において、この実施形態における保護ケースの後面には、薬剤の用量を取り出すための押出し保護手段が設けられている。この実施形態の利点は、保護ケースの後面におけるブリスタベースの固定であり、この手段により、ブリスタは安定化され、押出し作業の後にも、ブリスタの形状が維持される。
【００２９】
ブリスタキャビティを備えたブリスタ面における付加的な安定化のために、ブリスタストリップは、保護ケースのロッキング面に定置に結合されており、これによりロッキング面によって包囲されており、これにより、ブリスタキャビティは上方からアクセス可能である。次いで、ブリスタキャビティの寸法の凹所（例えば打抜き加工穴）が、好適には、ブリスタキャビティの領域において保護ケースのロッキング面に設けられている。ブリスタストリップは、接着剤ポイントを介して保護ケースに固定されることができ、例えば、ロッキング面はブリスタに接着接合されることができるか、又は、後面及びロッキング面がブリスタストリップよりも大きいならば、これらの２つの面は、これらの面が接触する面において、互いに直接に結合されることができる、例えば互いに接着されることができ、この手段によって、ブリスタストリップはいわば保護ケースの後面とロッキング面との間に締め付けられる。
【００３０】
保護ケースの後面における押出し補助手段は、保護ケースの後面に、薬剤を備えたブリスタキャビティが後面上に位置させられる位置において、押出し保護手段が設けられるように構成されている。
【００３１】
押出し補助手段の１つの可能な実施形態は、保護ケースの後面における凹所としての単純な打抜き加工穴である。したがって、ブリスタベースは、ブリスタキャビティの領域において、後面によってもはやカバーされていない。
【００３２】
押出し補助手段の別の実施形態は、両面パンチから成り、この両面パンチは、それぞれ保護ケースの後面の材料の厚さの半分まで延びた種々異なる幅を備えている。ここでは、薬剤の第１の用量が取り出される前に、ブリスタベース全体が、保護ケースの後面によってカバーされている。この場合薬剤の用量が取り出される場合、ブリスタベースのみならず、保護ケースの後面における関連した打抜き加工された面が押し破られ、薬剤は保護ケースの後面において取り出されることができる。
【００３３】
押し破り補助手段の別の実施形態は、１つ又は２つ以上のスリットから形成された、スロット状押し破り補助手段である。
【００３４】
押し破り補助手段の別の可能な実施形態は、ブリスタキャビティが配置されている面の形状及び寸法での保護ケースの後面におけるミシン目である。そのように望まれるならば、押し破り作業を容易にするためにこのようなミシン目に付加的に１つ又は２つ以上のスリットが設けられることができる。
【００３５】
押し破り補助手段を備えた実施形態の利点は、所定の押し破り領域が薬剤の取り出しを容易にするということである。なぜならば、この押し破り領域は、初期に押し破り作業に対する抵抗を提供し、ひいては錠剤が容易にずれて斜めになることがないからである。
【００３６】
そのように望まれるならば、保護ケースによって保護されることに加え、ブリスタストリップは、アンダーシールキャップによって保護されることもできる。これらのアンダーシールキャップは、特に、薬剤を湿気から保護するためのブリスタストリップの付加的なシールを構成している。アンダーシールキャップは、製造中及び薬局での貯蔵中に、ＰＶＣ又はＰＣｄＣ等の材料から形成されたブリスタストリップを使用する場合、所要の貯蔵安定性を保証する。アンダーシールキャップは、第１の用量が取り出される直前に患者によって引き出され、その結果、アンダーシールキャップは、いたずら防止クロージャの機能も有する。アンダーシールキャップを使用する場合、保護ケースは好適にはブリスタストリップ及びアンダーシールキャップを一緒に包囲している。
【００３７】
パック内容物を識別するための最も重要な患者情報、例えば薬剤の名前、ロゴ、指示、強さ、パック寸法、使用期限等が、外部パッケージだけでなく保護ケースにも印刷されることができる。この印刷は、保護ケースの全ての面、例えば保護ケースの後面及び／又は前面及び／又は背部及び／又は端面／ロッキング面の内側及び／又は外側、において行われることができる。この形式において、患者がブリスタユニットを外部パッケージから取り出してブリスタユニットをパック内容物の残りとは別々に保存する場合でさえも、患者はいつでもブリスタストリップに関連して利用可能なこの重要な情報を有することを保証することができる。
【００３８】
ブリスタストリップは通常、種々異なる材料の複数の層から形成されている。したがって、例えば、適切な材料、例えばプラスチック又はボードの２つのベースパネルの間において、材料の２つの別の層を挿入することができ、２つの層のうちの１つは、薬剤が位置するブリスタキャビティを形成しており、他方は、容易に破られるブリスタベースを形成しているか、又は、２層ブリスタストリップ構造が選択され、その場合、キャビティが上側シートに形成され、次いで、上側シートは下方から、容易に破られる材料から形成された、別のシート、ブリスタベースで被覆され、その結果、薬剤が位置したキャビティが閉鎖される。
【００３９】
当業者に知られており、商業的に利用可能なブリスタストリップを製造するために使用される通常の材料、例えば、ラミネート状アルミニウム箔、ＰＶＣ（塩化ポリビニル）又はＰＶｄＣ（塩化ポリビニリデン）箔又はこれらの組み合わせ、又はＰＰ（ポリプロピレン）箔又は前記材料の組み合わせ又はラミネート、が使用される。
【００４０】
ブリスタストリップは好適には、それぞれ１回分又は２回分以上の薬剤から成る、一日分の薬剤又は７日分の薬剤を含む。ブリスタストリップは、薬剤、好適にはタブレット又はカプセルを収容するための、１，２，３，４，５，６，７，８，９又は１０個、特に３，４，５，６又は７個のブリスタキャビティ、特に好適には５個又は７個のブリスタキャビティを有している。
【００４１】
本発明による薬剤パックは、１つ又は２つ以上、好適には１，２，３，４，５，６，７，８，９又は１０個又は１１個以上のブリスタユニット、特に２，３，４，５，６又は７個のブリスタユニット、特に好適には２，３，４，５又は６個のブリスタユニット、及び患者情報及び使用のための指示を備えた１つ又は２つ以上、好適には１つの紙片を含んでいる。本発明による薬剤パックは、それぞれ１つの薬剤を収容するために含まれたブリスタキャビティの合計数が４，５，７，１４，１５，２８，３０，５０，５６，６０，９０，１００，１２０，１４０又は５００である。
【００４２】
本発明による薬剤パックの特に好適な実施例は、３個又は６個のブリスタユニットを含んでおり、各ブリスタユニットは、７つのブリスタキャビティを備えた１つのブリスタストリップと、患者情報及び使用のための指示を備えた紙片をも含んでいる。
【００４３】
本発明によるブリスタストリップは、ブリスタストリップに結合された保護ケースによる偶然の損傷から既に保護されているので、外部パッケージは二次的な保護機能のみを有する。むしろ、外部パッケージの目的は、例えばブリスタユニットの取り出しの後、薬剤パック又は薬剤パックの部分の内容物を束ねて、できるだけコンパクトな状態に維持することである。外部パッケージの別の目的は、パック内容物が誤って滑り出たり落下したりしないようにすることであり、これにより、パック内容物又はパック内容物の部分は意図せずに外部パッケージから分離されることはない。機械的な保護機能を備えた材料、例えば厚紙又はプラスチックに加えて、外部パッケージは、機械的な保護機能を有さない材料、例えばフィルム、例えばセロファンフィルムから形成されることもできる。
【００４４】
外部パッケージは、透明な材料、例えば透明なフィルム又は透明な箱（例えば折りたたみ式箱）から形成されることができ、その結果、外部パッケージが開放される前でもパック内容物、例えば保護ケースを見ることができる。しかしながら、外部パッケージは、不透明材料、例えば不透明材料、例えば厚紙、から形成されることもでき、これにより、外部パッケージに患者のための重要な情報、例えば薬剤の名前、ロゴ、指示、強さ、パック寸法、使用期限等を印刷することができる。
【００４５】
外部パッケージは、透明な材料から形成された少なくとも１つの部分と、不透明な材料から形成された少なくとも１つの部分とから成ることもできる。言及されてよい好適な実施例は、パック内容物を収容し、不透明な材料から形成され、パック内容物が誤って滑り出ない又は落下しないようにパック内容物が外部パッケージの内部に固定されるように構成された、第１の外部パッケージと、付加的に、第１の外部パッケージを完全に包囲していて、透明な材料から形成された第２の外部パッケージとを含む外部パッケージである。第１の外部パッケージと第２の外部パッケージとから成るこのような外部パッケージの好適な実施形態において、第１の外部パッケージは箱から成り、第２の外部パッケージは透明なフィルム、例えばセロファンフィルムから成る。透明なフィルムは、初めてパックが開放されるまでパック内容物を保護するために働き、パック内容物を取り出すために引き出されなければならない又は復元不能に開放されなければならない。透明なフィルムは、いたずら防止シールの機能も有する。これは、損傷を受けていない透明なフィルムが、外部パッケージがまだ開放されていないことを証明し、このことは、患者薬物療法の敏感な分野において極めて重要である。
【００４６】
したがって、透明フィルムが薬剤パック全体を包囲している外部パッケージが特に好適である。特に、内部にパック内容物が保持された本発明による全ての外部パッケージは、付加的にこのような透明フィルムで包囲されることができる。
【００４７】
外部パッケージは、互いに結合されていない複数の個々の部分から成ることもでき、その場合、例えば、外部パッケージの上記目的は、個々の部分の相互作用に基づいてのみ達成される。したがって、例えば、外部パッケージの第１の部分はパック内容物を束ねることができるが、それ自体は、パック内容物が外部パッケージのこの第１の部分から滑り出る又は落下することを回避することはできない。これに対して、外部パッケージの別の部分は、パック内容物が保持され、外部パッケージの第１の部分からもはや滑り出る又は落下することはできないことを保証する。例えば、外部パッケージの第１の部分が、パック内容物が挿入される、底部が開放した箱から成るならば、この外部パッケージの別の部分の好適な実施形態は、クランプスリーブから成り、このクランプスリーブに、外部パッケージの第１の部分と、挿入されたパック内容物とが押し込まれる。クランプスリーブは、少なくとも４つの面から成り、これらの面は、その寸法の観点から、実質的に、収容されるパック内容物の寸法に相当する。このようなクランプスリーブのための好適な材料として厚紙が言及されてよい。
【００４８】
このようなクランプスリーブの好適な実施形態は、互いに定置に結合された、中空の空間を形成した少なくとも４つの面から成り、１つ又は２つ以上の面には切欠きが設けられることができる。このようなクランプスリーブの特に好適な実施形態は、方形の管を形成する４つの面から成り、この場合、パック内容物を含む第１の外部パッケージは、向き合った端部において、このクランプスリーブに押し込まれるか又はこのクランプスリーブから取り出されることができ、又は開放した箱を形成する５つの面から成り、この場合、パック内容物を含む第１の外部パッケージは、好適には、クランプスリーブの開放した側を介してこのクランプスリーブに押し込まれることができ、このクランプスリーブから取り出されることができる。この方法で組み立てられた外部パッケージは、前述のように、別の外部パッケージ、例えば透明フィルムによって付加的に包囲されていることができる。
【００４９】
外部パッケージは、再閉鎖できないようになっているか、又は外部パッケージ又は組み立てられた外部パッケージの部分が、実施形態によって許容されるならば、外部パッケージを閉鎖するための装置の補助によって再閉鎖されることもできる。
【００５０】
再閉鎖可能な外部パッケージの好適な実施形態において、外部パッケージは、再閉鎖可能なヒンジ式蓋又は再閉鎖可能なヒンジ式スリーブが設けられた箱から成る。ここで、ヒンジ式蓋又はヒンジ式スリーブは多くの方法で閉鎖されることができ、可能な閉鎖機構は当業者に知られている。ここで言及されてよい例は、糊付け又は接着効果に基づく閉鎖機構か、又は、挿入式結合、例えば、箱の関連する壁部に設けられたスリットに挿入される例えばヒンジ式スリーブ又はヒンジ式蓋に設けられたタブを介して、箱へのヒンジ式蓋又はヒンジ式スリーブの反転可能な結合を許容する機構である。再閉鎖可能な外部パッケージのための特に好適な実施形態は、例えば、スイス国特許第５３４６１６号明細書及び欧州特許出願公開第０５９９７８号明細書に記載されたような種類の箱である。ここで、厚紙箱の１つの開放した縁部はロッキング舌片が設けられており、このロッキング舌片は、箱の隣接する側との結合領域の固有弾性により外方へ突出する。ヒンジ式蓋に設けられた結合タブは肩部を形成しており、ヒンジ式蓋が閉鎖されるとロッキング舌片が前記肩部の背後に係合し、ヒンジ式蓋を閉鎖位置に固定する。ヒンジ式蓋を開放するために、ロッキング舌片が肩部から解離して蓋を解放するまでヒンジ式蓋が持ち上げられるだけでよい。
【００５１】
再閉鎖可能な外部パッケージの別の好適な実施形態において、外部パッケージは、シールストラップを備えたベース箱から成る。シールストラップは好適には、例えば共通の縁部を介してベース箱の後面に定置に結合されており、外部パッケージを閉鎖するために、ひいては搬送及び貯蔵中の保護のために働く。シールストラップは少なくとも２つの面から成る。すなわち、ベース箱の後面に結合された第１の面は、パック内容物の上面を完全に又は部分的にカバーし、別の面は、パック内容物の前面を完全に又は部分的にカバーするために、及びベース箱への反転可能な適用によってベース箱にシールストラップを結合し、ひいては外部パッケージを閉鎖するために、使用される。外部パッケージが閉鎖されている状態において、シールストラップは、頂上部において開放したベース箱からパック内容物が落下する又は滑り落ちることができないことを保証する。シールストラップのために多数の設計が考えられ、これらの設計は、例えば、外部パッケージの閉鎖のためのこのシールストラップがどのようにベース箱に結合されているかという観点から、及びシールストラップの表面積の観点から異なっている。シールストラップは好適には、ベース箱と一緒に、１つの片から及びベース箱と同じ材料、好適には厚紙、から製造されている。
【００５２】
シールストラップを備えた外部パッケージの好適な実施形態は、押込みシールストラップであり、この押込みシールストラップは、押込みシールストラップをパック内容物に被さるように折り曲げて、ベース箱の後面に結合されていない押込みシールストラップの端部又は押込みシールストラップに設けられたタブを、この目的のために設けられた、好適にはベース箱の前面又はベース箱の底部に配置されたスリットに挿入することによって閉鎖される。
【００５３】
シールストラップを備えた外部パッケージの別の好適な実施形態は、接触箇所、例えば貼付箇所、接着箇所、ベルクロ箇所を介して又は同様の形式で外部パッケージに結合されることができるシールストラップであり、接触箇所は、外部パッケージが繰り返し開閉できるように設計されている。
【００５４】
外部パッケージの特定の実施形態において、外部パッケージを閉鎖するための前記装置（ヒンジ式スリーブ、ヒンジ式蓋又はシールストラップ）は、外部パッケージの残りから容易に解離されることができるように外部パッケージに結合されている。例えば、ヒンジ式スリーブ、ヒンジ式蓋又はシールストラップは、ミシン目を介して外部パッケージに結合されていることができ、前記ミシン目に沿って外部パッケージの残りから解離されることができる。
【００５５】
外部パッケージの好適な実施形態において、パック内容物の保持のための手段を有しており、この手段により、外部パッケージ内に保持されたパック内容物の部分（ブリスタユニットと、患者情報及び使用指示が書かれた紙片）は外部パッケージと相互作用することができ、パック内容物の部分は、必要とされるときに容易に取り出されることができるが、搬送又は貯蔵中には、ヒンジ式蓋、シールストラップ又は同様に作用する装置がなくても外部パッケージから落下する又は滑り出ることができない。
【００５６】
このような保持手段の好適な実施形態は、外部パッケージの内側において、向き合った側において外部パッケージに弾性的に結合された弾性タブである。例えば外部パッケージと弾性タブとが１つの打抜き加工されたブランクから形成されることによって又は、接着、溶接、シーリング又は同様の形式で弾性タブが外部パッケージに永久に結合されることによって、弾性タブを外部パッケージに永久に結合することが好適である。好適な実施形態において、弾性タブはそれぞれ、少なくとも１つの共通の曲げ／折り縁部を介して外部パッケージに永久に結合されており、これらの曲げ／折り縁部のそれぞれは好適には外部パッケージの開口における縁部である。
【００５７】
特に好適な実施形態において、弾性タブはブリスタユニット及び紙片の狭い側に接触する。なぜならば、どれだけ多くのブリスタユニットが外部パッケージ内に配置されているかに拘わらず、パック内容物の全ての部分が誤って外部パッケージから落下しない又は滑り出ないように保護されているからである。したがって、弾性タブは好適には外部パッケージの側壁に固定されている。例えばブリスタユニットの内容物が全て使用され、ブリスタパックが外部パッケージ内に戻されない場合には、パック内容物の残りの部分も、誤って外部パッケージから落下しない又は滑り出ないように保護されている。ブリスタユニット又は紙片が外部パッケージに挿入される場合、これは、弾性タブの抵抗に抗して行われ、タブは、弾性を生ぜしめるが、さえもなければ、ブリスタユニット又は紙片の狭い側に向き合った側から圧力を加え、これらを外部パッケージ内に締め付ける。弾性タブとブリスタユニットと紙片との間に生じる摩擦は、パック内容物を外部パッケージ内に固定し、これにより、パック内容物が、パッケージから簡単に、ひいては誤って滑り出ない又は落下しないことを保証する。
【００５８】
強調される１つの実施形態において、弾性タブは、一方では、例えば共通の曲げ／折り縁部を介して箱の開口において個々の側壁に結合されるように、他方では、箱の底部において側壁に結合されるように構成されている。箱の底部への弾性タブの結合は、例えば、弾性タブが箱の底部に糊付け又はリベット留めされることによって、又は弾性タブの端部がプラグ型アタッチメントを介して又は同等の形式で底部に結合されることによって行われることができる。この実施形態において、弾性タブは、箱の開口と箱の底部との間において箱の内側において湾曲した緊張した面を形成するような寸法を有しており、ドーム状の中空の空間が、側壁と弾性タブとの間において得られる。このような弾性タブにおける緊張は、要求に応じて、側壁と弾性タブとの間の長さの差によって、変化させられる。側壁と比較して弾性タブが長くなるほど、その間の中空の空間が大きくなり、弾性タブの緊張が大きくなる。
【００５９】
強調される別の実施形態において、弾性タブは、例えば共通の曲げ／折り縁部を介して箱の開口において個々の側壁に結合されるように構成されており、この曲げ／折り縁部から遠い方の端部において、弾性タブには弾性タブ延長部が設けられており、弾性タブ延長部は好適には、共通な縁部、例えば折り線を介して弾性タブに結合されている。弾性タブ延長部及び弾性タブは好適には一片から形成されている。弾性タブ延長部は、弾性タブと側壁との間に位置するように、折り線に沿って弾性タブから離れるように曲げられる。折り線の固有弾性は、弾性タブ延長部が、弾性タブから離れるように側壁の方向へ突出し、これにより弾性タブを側壁から支持するという効果を有する。
【００６０】
強調される別の実施形態において、弾性タブは短い弾性タブとして設計されており、前記弾性タブは、例えば曲げ／折り縁部を介して箱の開口において個々の側壁にのみ結合されている。短い弾性タブと側壁との間の曲げ／折り縁部の固有弾性は、短い弾性タブが側壁から突出し、短い弾性タブが側壁から弾性的に支持されるという効果を有する。短い弾性タブの材料、例えば厚紙、の適切な選択によって、及び、適切であるならば、材料の繊維方向の適切な選択及び短い弾性タブの寸法、特に長さ、の適切な選択により、当業者は、この単純な構造によって正しい保持効果を達成することができる。
【００６１】
短い弾性タブの１つのこのような実施形態において、短い弾性タブの保持効果は、適切な付加的な手段、例えば１つ又は２つ以上のノッチを備えたブリスタユニットを提供することによって、さらに強化されることができる。これらのノッチは、ブリスタユニットが箱に完全に取り付けられるやいなや弾性タブがブリスタユニットのノッチに係合するように、ブリスタユニットに適用されている。ノッチに係合させられた弾性タブは釣り針の返しの機能を有しており、これにより、ブリスタユニットは、箱の内部の所定の位置にロックされる。ブリスタユニットの取出しは以下のことによって可能にされる。すなわち、箱の開口の方向でブリスタユニットに十分な引張力が加えられると、弾性タブがノッチから外れ、これによりブリスタユニットは簡単に取り出されることができる。
【００６２】
強調される別の実施形態において、弾性タブは次のように設計されている。すなわち、弾性タブは、例えば共通の曲げ／折り縁部を介して箱の開口において個々の側壁に結合されており、この曲げ／折り縁部から遠い方の端部において弾性タブには弾性タブ延長部が設けられている。弾性タブ延長部は、好適には、共通の縁部、例えば折り線を介して弾性タブに結合されている。弾性タブ延長部及び弾性タブは好適には一片から形成されている。弾性タブ延長部は、弾性タブ延長部が弾性タブと側壁との間に位置するように、弾性タブから離れるように、折り線に沿って曲げられる。曲げられた折れ線の固有弾性は、弾性タブ延長部が弾性タブから離れるように側壁の方向に突出し、ひいては弾性タブを側壁から弾性的に支持するという効果を有する。
【００６３】
本発明による外部パッケージの好適な実施形態は、弾性タブが備えられた箱を含む。
【００６４】
本発明による好適な外部パッケージはベース箱を有しており、このベース箱には、パック内容物又はパック内容物の部分の内部に固定するための前記装置の１つが設けられており、ベース箱はパック内容物よりも低く、また、適切であるならば包装体としての透明フィルムを有しており、これにより、外部パッケージが除去又は開放される前でさえも外部パッケージの内容物を見ることができる。これにより、例えば、薬剤師又は患者は、外部パッケージを開放することなくパック内容物を識別することができる。
【００６５】
外部パッケージの特に好適な実施形態は、ベース箱の内部に弾性タブが備えられた前記ベース箱を含む。
【００６６】
強調される外部パッケージの実施形態は、ベース箱の内部に弾性タブが備えられた前記ベース箱と、包装体としての透明フィルムとを有する。
【００６７】
外部パッケージの別の特に好適な実施形態は、外部パッケージを再閉鎖するための装置、例えば再閉鎖可能なヒンジ式蓋、ヒンジ式スリーブ又はシールストラップを備えた前記ベース箱を含む。
【００６８】
強調される外部パッケージの別の実施形態は、外部パッケージを再閉鎖するための装置、例えば再閉鎖可能なヒンジ式蓋、ヒンジ式スリーブ又はシールストラップを備えた前記ベース箱と、包装体としての透明フィルムとを含む。
【００６９】
外部パッケージの別の特に好適な実施形態は、外部パッケージを再閉鎖するための装置、例えば再閉鎖可能なヒンジ式蓋、ヒンジ式スリーブ又はシールストラップを備えた、内部に弾性タブが備えられた前記ベース箱を含む。
【００７０】
強調される外部パッケージの別の実施形態は、外部パッケージを再閉鎖するための装置、例えば再閉鎖可能なヒンジ式蓋、ヒンジ式スリーブ又はシールストラップを備えた、ベース箱の内部における弾性タブが備えられた前記ベース箱と、包装体としての透明フィルムとを含む。
【００７１】
外部パッケージの別の特に好適な実施形態は、外部パッケージを再閉鎖するための装置、例えば再閉鎖可能なヒンジ式蓋、ヒンジ式スリーブ又はシールストラップを備えた前記ベース箱を含み、この場合、ヒンジ式蓋、ヒンジ式スリーブ又はシールストラップは外部パッケージの残りから取り外されることができる。
【００７２】
強調される外部パッケージの別の実施形態は、外部パッケージを再閉鎖するための装置、例えば再閉鎖可能なヒンジ式蓋、ヒンジ式スリーブ又はシールストラップを備えた前記ベース箱を含み、この場合、ヒンジ式蓋、ヒンジ式スリーブ又はシールストラップは外部パッケージの残りから取り外されることができ、さらに、包装体としての透明フィルムを含む。
【００７３】
外部パッケージの別の特に好適な実施形態は、外部パッケージを再閉鎖するための装置、例えば再閉鎖可能なヒンジ式蓋、ヒンジ式スリーブ又はシールストラップを備えた前記ベース箱を有し、ヒンジ式蓋、ヒンジ式スリーブ又はシールストラップは、外部パッケージの残りから取り外されることができ、ベース箱の内部には弾性タブが設けられている。
【００７４】
強調される外部パッケージの別の実施形態は、外部パッケージを再閉鎖するための装置、例えば再閉鎖可能なヒンジ式蓋、ヒンジ式スリーブ又はシールストラップを備えた前記ベース箱と、包装体としての透明フィルムとを有し、ヒンジ式蓋、ヒンジ式スリーブ又はシールストラップは、外部パッケージの残りから取り外されることができ、ベース箱の内部には弾性タブが設けられている。
【００７５】
本発明による薬剤パックの好適な実施形態（実施形態Ａ）は、複数のブリスタユニットと、ブリスタユニットを収容するための外部パッケージとを有し、前記ブリスタユニットはそれぞれ保護ケースを有しており、該保護ケース内にブリスタストリップが配置されていて、該ブリスタストリップは保護ケースに定置に結合されており、保護ケースは、折り畳まれる又は開かれることができ、前記外部パッケージは外部パッケージを再閉鎖するための装置を有している。
【００７６】
本発明による薬剤パックの好適な実施形態（実施形態Ｂ）は、複数のブリスタユニットと、ブリスタユニットを収容するための外部パッケージと、包装体としてのフィルムとを有し、前記ブリスタユニットがそれぞれ保護ケースを有しており、該保護ケース内にブリスタストリップが配置されていて、ブリスタストリップが保護ケースに定置に結合されており、保護ケースが折り畳まれる又は開かれることができ、前記外部パッケージが外部パッケージを再閉鎖するための装置を有している。
【００７７】
本発明による薬剤パックの好適な実施形態（実施形態Ｃ）は、複数のブリスタユニットと、ブリスタユニットを収容するための外部パッケージとを有し、前記ブリスタユニットがそれぞれ保護ケースを有しており、該保護ケース内にブリスタストリップが配置されていて、ブリスタストリップが保護ケースに定置に結合されており、保護ケースが折り畳まれる又は開かれることができ、前記外部パッケージが、弾性タブを備えたベース箱を有する。
【００７８】
本発明による薬剤パックの好適な実施形態（実施形態Ｄ）は、複数のブリスタユニットと、ブリスタユニットを収容するための外部パッケージと、包装体としてのフィルムとを有し、前記ブリスタユニットがそれぞれ保護ケースを有しており、該保護ケース内にブリスタストリップが配置されていて、ブリスタストリップが保護ケースに定置に結合されており、保護ケースが折り畳まれる又は開かれることができ、前記外部パッケージが、弾性タブを備えたベース箱を有する。
【００７９】
本発明による薬剤パックの好適な実施形態（実施形態Ｅ）は、複数のブリスタユニットと、ブリスタユニットを収容するための外部パッケージと、外部パッケージを再閉鎖するための装置とを有し、前記ブリスタユニットがそれぞれ保護ケースを有しており、該保護ケース内にブリスタストリップが配置されていて、ブリスタストリップが保護ケースに定置に結合されており、保護ケースが折り畳まれる又は開かれることができ、前記外部パッケージが、弾性タブを備えたベース箱を有する。
【００８０】
本発明による薬剤パックの好適な実施形態（実施形態Ｆ）は、複数のブリスタユニットと、ブリスタユニットを収容するための外部パッケージと、外部パッケージを再閉鎖するための装置と、包装体としてのフィルムとを有し、前記ブリスタユニットがそれぞれ保護ケースを有しており、該保護ケース内にブリスタストリップが配置されていて、ブリスタストリップが保護ケースに定置に結合されており、保護ケースが折り畳まれる又は開かれることができ、前記外部パッケージが、弾性タブを備えたベース箱を有する。
【００８１】
本発明による薬剤パックの好適な実施形態（実施形態Ｇ）は、複数のブリスタユニットと、ブリスタユニットを収容するための外部パッケージとを有し、前記ブリスタユニットがそれぞれ保護ケースを有しており、該保護ケース内にブリスタストリップが配置されていて、ブリスタストリップが保護ケースに定置に結合されており、保護ケースが折り畳まれる又は開かれることができ、前記外部パッケージが、外部パッケージを再閉鎖するための装置を有しており、再閉鎖するための装置が、外部パッケージの残りから取り外されることができる。
【００８２】
本発明による薬剤パックの好適な実施形態（実施形態Ｈ）は、複数のブリスタユニットと、ブリスタユニットを収容するための外部パッケージと、包装体としてのフィルムとを有し、前記ブリスタユニットがそれぞれ保護ケースを有しており、該保護ケース内にブリスタストリップが配置されていて、ブリスタストリップが保護ケースに定置に結合されており、保護ケースが折り畳まれる又は開かれることができ、前記外部パッケージが、外部パッケージを再閉鎖するための装置を有しており、該装置が、外部パッケージの残りから取り外されることができる。
【００８３】
本発明による薬剤パックの好適な実施形態（実施形態Ｉ）は、複数のブリスタユニットと、ブリスタユニットを収容するための外部パッケージと、外部パッケージを再閉鎖するための装置と、外部パッケージを再閉鎖するための装置とを有し、前記ブリスタユニットがそれぞれ保護ケースを有しており、該保護ケース内にブリスタストリップが配置されていて、ブリスタストリップが保護ケースに定置に結合されており、保護ケースが折り畳まれる又は開かれることができ、前記外部パッケージが、弾性タブを備えたベース箱を有しており、再閉鎖するための装置が、外部パッケージの残りから取り外されることができる。
【００８４】
本発明による薬剤パックの好適な実施形態（実施形態Ｊ）は、複数のブリスタユニットと、ブリスタユニットを収容するための外部パッケージと、外部パッケージを再閉鎖するための装置と、外部パッケージを再閉鎖するための装置と、包装体としてのフィルムとを有し、前記ブリスタユニットがそれぞれ保護ケースを有しており、該保護ケース内にブリスタストリップが配置されていて、ブリスタストリップが保護ケースに定置に結合されており、保護ケースが折り畳まれる又は開かれることができ、前記外部パッケージが、弾性タブを備えたベース箱を有しており、前記再閉鎖するための装置が外部パッケージの残りから取り外されることができる。
【００８５】
１つの特定の実施形態において、外部パッケージに配置された個々のブリスタユニット、例えば３つのブリスタユニットは、互いに結合されておらず、外部パッケージの開放又は取出しの後、個々のブリスタユニットは、外部パッケージから１つずつ取り出されることができる。
【００８６】
本発明の別の特定の実施形態において、複数のブリスタユニット、例えば３つのブリスタユニットは、ブリスタユニットのグループ（適切ならば分離可能）を形成するように相互結合されることができる。選択的に設けられた外部パッケージは、ブリスタユニットの、１つ又は２つ以上、好適には１つ、２つ又は３つ、特に１つのグループを含むことができる。しかしながら、この実施形態において、個々のブリスタユニットの間の結合は、個々のブリスタユニットが残りのブリスタユニットから１つずつ簡単に取り外されるようになっている。そのために、ブリスタユニットの１つのグループがまず、選択的に設けられた外部パッケージから取り出され、次いで、個々のブリスタユニットが解離される。相互結合されたブリスタユニットが、コンパクトな形状を形成するように折り畳まれることができる、ブリスタユニットの複数のグループが好適である。相互結合されたブリスタユニットがコンサーティーナの形式で折り畳まれることができ、これにより、折り畳まれた状態において、個々のブリスタユニットが互いに同一平面になり、ひいてはブリスタユニットの折り畳まれたグループの二次元広がりは個々のブリスタユニットの二次元広がりに相当する、ブリスタユニットの複数のグループが特に好適である。
【００８７】
個々のブリスタユニットの間の結合は、例えば、（例えば、共通の打抜き型がブリスタユニットのために使用されたならば）２つの相互結合されたブリスタユニットの保護ケースの共通の縁部から成ることができる。個々のブリスタユニットの取外しを容易にするために、２つのブリスタユニットの間の結合には、取外し補助手段が備えられることができる。このような取外し補助手段は、例えば、２つの相互結合されたブリスタユニットの保護ケースの共通の縁部におけるミシン目である。しかしながら、そのように望まれるならば、個々のブリスタユニットは、例えば側部における紙又はフィルム接着剤ラベルによって、互いに解離可能に結合されることもできる。構造が共通の打抜き型に基づくブリスタユニットは、例えば経済的な製造及びブランクにおける廃棄物の排除という利点を有する。保護ケースの共通の打抜き型がまず製造され、次いでブリスタが提供され、トリミングされないシートが適切に折り畳まれ、望まれるならば、患者紙片と共に適切な外部パッケージに挿入される。
【００８８】
ブリスタユニットのグループから個々のブリスタユニットを取り外した後、残りのブリスタユニットは再びコンパクトな形状に折り畳まれることができ、ブリスタユニットのグループは、ブリスタユニットの取外し前よりも１つ少ないブリスタユニットから構成される。
【００８９】
本発明による薬剤パックの例が以下に説明される。以下の例は、発明を限定することなく、発明をより詳細に説明する。特に、ブリスタユニットごとのブリスタキャビティの引用された数、又は外部パッケージごとのブリスタユニットの数に限定されない。実施例において、ブリスタユニットの全ての例は、全ての外部パッケージの例と組み合わされることができる。
【００９０】
同様に、押し破り補助手段の全ての例は、ブリスタユニットの全ての例と組み合わされることができる。さらに、ブリスタユニットの全ての例は、ブリスタユニットのグループを形成するように、本発明に従って組み合わされることができる。
【００９１】
図１から図１３までは、ブリスタユニットの様々な実施形態及び図を示している。
【００９２】
図１４ａから図１９までは、押し破り補助手段の様々な実施形態を示している。
【００９３】
図２０から図２４までは、ブリスタユニットのグループの様々な図を示している。
【００９４】
図２５から図４５までは、外部パッケージの様々な実施形態を示しており、例示された外部パッケージはそれぞれ、例えば、３つのブリスタユニットと、患者情報及び使用指示が書かれた紙片とを含んでいる。
【００９５】
図４６から図５４までは、ベース箱の様々な実施形態及び図を示しており、前記ベース箱には弾性タブが備えられている。
【００９６】
図５５から図６１までは、外部パッケージの別の実施形態を示しており、例示された外部パッケージはそれぞれ、例えば、３つのブリスタユニットと、患者情報及び使用指示が書かれた紙片とを含んでいる。
【００９７】
図１から図１３までと図２０から図２４までとに示されたブリスタユニットは全て、５つのブリスタキャビティを備えたブリスタストリップを有している。これらの図は、ブリスタユニットの好適な実施形態を示しているが、本発明のこの特定の実施形態に限定されない。
【００９８】
図１は、保護ケース６とブリスタストリップ４とから成る、閉鎖されたブリスタユニット１を示している。保護ケース６の前面８と、後面７と、背部９とには、望まれるならば、最も重要な患者情報が印刷されることができる。この特に好適な実施例において、保護ケース６の前面８の右側の角隅は丸く成形されており、前面８は保護ケース６の後面７に部分的にのみ重なるように設計されている。この特定の実施例において、前面８は、ブリスタストリップ４を完全には被覆していないが、基本的に、ブリスタキャビティ２の領域のみを被覆している。例示されたブリスタユニット１の保護ケース６には端面１４が設けられており、この端面は同様に前面８によって部分的にのみ被覆されている。
【００９９】
図２は、図１の本発明によるブリスタユニット１の内部を示しており、保護ケース６の前面８は開かれている。この開きの結果、ブリスタキャビティ２を備えたブリスタストリップ４のブリスタ面１０全体が見えており、また、背部９と、背部９と前面８との間の折り線１１と、背部９と後面７との間の折り線１２と、端面１４全体とが見えている。この特定の実施形態において、ブリスタストリップ４は、保護ケース６の後面７よりも僅かに小さな面積を有している。
【０１００】
図３は、ＩＩＩの方向で見た側面図を示しており、図２の本発明によるブリスタユニット１の拡大された詳細な断面図を示しており、この図では、ブリスタストリップ４は保護ケース６に結合されており、ブリスタストリップ４は、保護ケース６の端面１４にのみ結合されており、ひいては、折り線１５に沿って旋回可能に前記保護ケース６に結合されている。図２に示されたように、前面８が矢印Ｐ１の方向に開かれた後、ブリスタストリップ４は矢印Ｐ２の方向に後面７から離れるように開かれ、ブリスタベース３はもはや後面７によってカバーされていない。保護ケース６のこの開かれた状態において、薬剤Ｍはブリスタストリップ４から取り出されることができる。ブリスタキャビティ２に圧力を加えることによって、中の薬剤Ｍは、容易に破られるブリスタベース３を通過して押し出されることができ、これにより、ブリスタベース３と後面７との間においてブリスタユニット１から取り出されることができる。
【０１０１】
図４は、図２に示されたブリスタユニット１を示しており、この図では、ブリスタストリップ４は、後面７と端面１４との間の折り線１５に沿って完全に開かれている。ここでは、ブリスタストリップ４のブリスタベース３及び、例えば接着又は溶接によってブリスタストリップ４が端面１４に定置に結合されているところも見ることができる。
【０１０２】
図５は、閉鎖されたブリスタユニット１を示しており、この図では、後面７がクロージャ１３を介して前面８に結合されており、これにより、保護ケース６はこの状態においては開かれることはできない。クロージャ１３を解除した後にはじめて保護ケース６が開かれることができる。
【０１０３】
図６は、図７のＶＩの方向で見た、本発明によるブリスタユニット１の内部の図を示しており、この図では、図２と同様に前面８が開かれているが、端面１４は開かれていない。この特定の実施例において、ブリスタストリップ４は保護ケース６の後面７よりも僅かにだけ小さな面積を有している。
【０１０４】
図７は、側面図を示しており、図６の本発明によるブリスタユニット１の拡大された詳細な断面図を示している。ブリスタストリップ４は、ブリスタベース３のほぼ面全体に亘って保護ケース６の後面７に定置に結合されており、したがって、図３とは異なり、ブリスタストリップ４自体は保護ケース６に旋回可能に結合されていない。
【０１０５】
図８は、図６及び図７の本発明によるブリスタユニットの、図７のＶＩＩＩの方向で見た、外側の図であり、この図では、前面８は開かれている。破線によって示されたブリスタストリップ４は、ブリスタベース４のほぼ面全体に亘って保護ケース６の後面７に定置に結合されているので、保護ケース６の後面７には、薬剤Ｍを取り出すための打抜き穴１８の形式の押し破り補助手段１６が設けられている。ブリスタキャビティ２に圧力を加えることによって、中の薬剤Ｍが、容易に破られるブリスタベース３と押し破り補助手段１６、ここでは特に打抜き穴１８、とを通って押し出されることができる。すなわち、薬剤Ｍは、後面７においてブリスタユニット１から取り出されることができる（図７の拡大された詳細な断面図も参照）。
【０１０６】
図９は、図６と同様の、本発明によるブリスタユニット１の内部の図を示しており、この図において、ブリスタキャビティ２を備えた面における付加的な安定化のためにブリスタストリップ４は保護ケース７のロッキング面１７に定置に結合されておりかつ保護ケース６によって包囲されており、ブリスタストリップ４のブリスタキャビティ２は、ロッキング面１７における打抜き穴１８′を介して上方からアクセス可能でありかつ見える。
【０１０７】
図１０は、図９の方向Ｘで見た、図９の本発明によるブリスタユニット１の側面図と、２つの拡大された詳細な断面図とを示している。ブリスタストリップ４は、ほぼブリスタケース３の全面に亘って保護ケース６の後面７に定置に結合されており、ブリスタストリップ４は３つの側において保護ケース６によって包囲されており、図９に示したように、ブリスタキャビティ２はロッキング面１７における打抜き穴１８′を介してのみ見える。図７及び図８のために既に説明したように、この実施形態にも、保護ケース６の後面７における押し破り補助手段１６が備えられていなければならない。
【０１０８】
図１１は、図２、図６及び図９と比較して、５つのブリスタキャビティ２を備えたブリスタストリップ４を使用する時のブリスタキャビティ２及び打抜き穴１８′の択一的な配列を示している。ロッキング面１７の周囲に延びた破線５０は、その下に位置するブリスタストリップ４の寸法を示している。
【０１０９】
図１２は、本発明によるブリスタユニットの内部の図を示しており、この図において、ブリスタストリップ４は保護ケース６のみならずアンダーシールキャップ２１によっても保護されている。アンダーシールキャップ２１が患者によって取り外された後、ブリスタユニット１の外見は実質的に、図２、図６、図９又は図１１のうちの１つに相当する。
【０１１０】
図１３は、図１２の本発明によるブリスタユニット１の側面図と拡大された詳細な断面図とを示している。この場合、押し破り補助手段１６は、図７、図８又は図１０のように打抜き穴１８としてではなく、例えば図１４から図１８までに示された押し破り手段１６の別の実施形態の１つとして示されている。
【０１１１】
図１４から図１９までは、保護ケース６の後面７における押し破り手段１６〜１６Ｖの様々な実施形態を示している。図１４ａ及び図１４ｂは、それぞれ後面７の厚さの半分まで延びた２つの異なる幅を備えた、後面７における二面切込み２７ａ及び２７ｂから成る押し破り補助手段１６を示しており、その結果所定の破断ウェブ５１が残っている。図１５は、直線的な横断スリット１９ａを備えた４つの楕円セグメント切込み１９から成る押し破り補助手段１６Ｉを示している。図１６は、４つの楕円セグメント切込み１９と、直角に交差する２つの直線的な横断スリット１９ａとから成る押し破り補助手段１６ＩＩを示している。図１７は、４つの楕円セグメント切込み１９と、楕円セグメント切込み１９の間の部分における４つの直線的な横断スリット１９ａとから成る押し破り補助手段１６ＩＩＩを示している。図１８は、楕円ミシン目２０と４つの直線的な横断スリット１９ａとから成る押し破り補助手段１６ＩＶを示している。図１９は、図８による打抜き穴１８の形式の押し破り補助手段１６Ｖを示している。
【０１１２】
図２０から図２３までは、開き及び取外し作業の種々異なる段階における３つのブリスタユニット１のグループ２３を示している。図２０は、折り畳まれた状態の３つのブリスタユニット１のグループ２３を示しており、この場合、個々のブリスタユニット１は互いに同一平面になっており、ひいてはブリスタユニット１の折り畳まれたグループ２３の二次元広がりは、個々のブリスタユニット１の二次元広がりに実質的に相当する。図２１は、３つのブリスタユニット１の部分的に折り畳まれたグループ２３を示しており、この場合、個々のブリスタユニット１の間の結合部２５は、２つの相互結合されたブリスタユニット１の保護ケース６の共通の折り縁部２６から成っている。図２２は、どのようにブリスタユニット１が折り縁部２６を裂断することによって３つのブリスタユニット１のグループ２３から取り外されることができるかを示しており、これは、この折り縁部２６に沿って設けられたミシン目によって促進される。個々のブリスタユニット１が３つのブリスタユニット１のグループ２３から裂断された後、残りの２つの相互結合されたブリスタユニット１のグループ２３は、図２０に示されたような再びコンパクトな状態の折り畳まれることができるが、今や３つのブリスタユニット１ではなく２つのブリスタユニットを有している。図２３は３つのブリスタユニット１のグループ２３を示しており、個々のブリスタユニット１は接着テープ２４によって相互結合されている。
【０１１３】
図２４は、完全に広げられた平面的な配列における３つのブリスタユニット１のグループ２３の上面図を示している。互いに隣接した２つのブリスタユニット１は、相互結合された保護ケース６の間の結合部２５として作用する保護ケース６の共通の折り縁部２６を有しており、この折り縁部２６に沿ったブリスタユニット１の分離を容易にするために選択的にミシン目が設けられてもよい。
【０１１４】
図２５は、外部パッケージ、すなわち折畳み箱の実施形態を示している。折畳み箱は、ヒンジ式蓋によって閉鎖されることができ、実質的に、中に収納されるブリスタユニット１、及び患者情報及び使用指示が書かれた紙片２２と同じ寸法を有している。
【０１１５】
図２６は、可能な外部パッケージ５における紙片２２及びブリスタユニット１の配列を、図２５に示された方向ＸＸＶＩから見た、側面図で示している。この場合、ブリスタユニット１は、個々のブリスタユニット１のブリスタキャビティ２が互いに上下に位置するように配置されている。
【０１１６】
図２７は、ベース箱５ａと蓋５ｂとから成る、外部パッケージ５、すなわち摺動箱の実施形態を示しており、蓋５ｂは、搬送及び貯蔵中に保護するために使用されている。この特定の実施形態において、蓋の高さは実質的にパック内容物の高さに相当する。蓋５ｂと比較して低いベース箱５ａは、ベース箱５ａからのパック内容物又はパック内容物の部分の簡単な取出しを可能にする。なぜならば、ベース箱５ａはパック内容物よりも低く、取り出されるパック内容物の部分が掴みやすくなっているからである。
【０１１７】
図２８は、外部パッケージ５、すなわちたばこ容器形式の実施形態を示しており、この場合、外部パッケージ５には、開閉のためのヒンジ式蓋５ｃが設けられている。
【０１１８】
図２９は、外部パッケージ５の実施形態、すなわちベース箱５ａ及び透明セロファン包装体２９を示しており、この場合、既に図２７に関して説明したようにベース箱５ａはパック内容物よりも低いので、外部パッケージが取り外される又は開放される前に既にパック内容物の部分が見えている。
【０１１９】
図３０は、外部パッケージ５の実施形態、すなわちベース箱５ａ及び蓋５ｂ及び透明セロファン包装体２９を示しており、この場合、パック内容物全体はベース箱５ａ及び蓋５ｂを合わせた高さよりも高いので、外部パッケージが取り外される又は開放される前に既にパック内容物の部分は既に見えている。
【０１２０】
図３１は、外部パッケージ５の実施形態、すなわち掴み凹所５ｂを備えた箱と透明セロファン包装体２９とを示している。
【０１２１】
図３２及び図３３は、外部パッケージの実施形態、すなわち裂断タブ２８（図３２）又はミシン目２０（図３３）を備えた、２つの閉鎖されたスナップ開放式又は裂断開放式の箱を示している。
【０１２２】
図３４は、開放された後の、図３３に示されたスナップ開放式又は裂断開放式の箱としての外部パッケージ５を示している。スナップ開放されると表面上に設置されることができ、パック内容物又はパック内容物の部分が取り出されることができる。
【０１２３】
図３５は、表面上に設置されることができるスナップ開放式の箱の形式の外部パッケージ５の実施形態を示している。パック内容物を固定するために、望まれるならば、スナップ開放式の箱は付加的に充填材料３０を含むことができる。スナップ開放された後、外部パッケージの２つの個々の部分は独立して又は組み合わせて使用されることができる。
【０１２４】
図３６は、外部パッケージ５の実施形態、すなわち傾斜フラップ箱を示しており、この場合、ヒンジ式蓋５ｃが斜めの切込みに沿って側方へ開かれ、これによりパック内容物がアクセス可能にされる。
【０１２５】
図３７は、外部パッケージの実施形態、すなわちパック内容物の周囲、例えば３つのブリスタユニット１のグループと紙片２２との周囲の単純なセロファン包装体２９を示している。セロファン包装体２９は、この場合、例えば裂断ストリップ５２を介して、又は別の同様の形式で開放されることができる。好適な実施形態おいて、裂断ストリップ５２は、容易に見分けられるようにセロファン包装体２９とは異なる色であることができる。
【０１２６】
図３８は、外部パッケージ５の実施形態、すなわちベース箱５ａと、ベース箱５ａ及びパック内容物１，２２を包囲したクランプスリーブ３１とを示しており、このクランプスリーブ３１は搬送及び貯蔵中に保護を提供する。パック内容物１，２２を取り出すために、ベース箱５ａは、押すか又は引くことによってクランプスリーブから押し出される。パック内容物１，２２よりもベース箱５ａが低いことにより、パック内容物又はパック内容物の部分の簡単な取出しが可能となる。図３８から図４１までは、このようなクランプスリーブ３１の様々な実施形態を示している。
【０１２７】
図４２から図４５までは、それぞれにシールストラップ３２が設けられたベース箱５ａから成る２つの外部パッケージ５の実施形態を示している。図４２及び図４３は、外部パッケージ５を閉鎖するためにベース箱５ａの高さの約３分の１に設けられたスリット３３に挿入される狭幅のシールストラップ３２を示している。図４４及び図４５は、外部パッケージを閉鎖するために、ベース箱の底部３４の近くに設けられたスリット３３に挿入されるシールストラップ３２を示している。
【０１２８】
図４６は、パック内容物を備えない外部パッケージ５の実施形態、すなわち、向き合った側壁３７においてベース箱５ａの内部に弾性タブ３５が設けられた空のベース箱５ａを、鳥瞰図で示している。
【０１２９】
図４７は、外部パッケージ、すなわち弾性タブ３５を備えたベース箱５ａを、図４６に示されたＸＬＶＩＩの方向で見た側面図で示しており、この場合、弾性タブ３５は、それぞれ、ベース箱５ａの開口３８における側壁３７との共通の曲げ／折り縁部３６と、ベース箱５ａの底部４０における弾性タブ端部３９とを介して、ベース箱５ａに結合されている。図４７における拡大された詳細な断面図は、ベース箱５ａの底部４０に設けられたスリット４１に弾性タブ端部３９を挿入することによって弾性タブ３５が固定されていることを示している。
【０１３０】
図４８は、完全に開かれた平面的な配列における、図４６及び図４７に示されたような弾性タブ３５を備えたベース箱５ａのための打ち抜かれたブランクの形式の外部パッケージ５の上面図を示している。弾性タブ３５は共通の曲げ／折り縁部３６を介して、打ち抜かれたブランクの側壁３７に一体的に結合されているのに対し、この共通の曲げ／折り縁部３６から遠い方の弾性タブ端部３９が、箱を形成するように折り曲げかつ選択的に接着する間又はその後に、ベース箱５ａ及び打ち抜かれたブランクの底部４０にこの目的のために設けられたスリット４１に挿入される。
【０１３１】
図４９は、図４７に示された図と同様の外部パッケージ５、すなわち弾性タブ３５を備えたベース箱５ａの側面図を示しており、この場合、弾性タブ３５は、それぞれ、ベース箱５ａの開口３８における側壁３７との共通の曲げ／折り縁部３６のみを介してベース箱５ａに定置に結合されている。
【０１３２】
弾性タブ３５は、それぞれ、折り線４２を介して、弾性タブ３５を個々の側壁３７に対して支持した弾性タブ延長部４２に結合されている。弾性タブ延長部４３は側壁４７に接触することができるが、側壁に永久に結合されてはならない。弾性タブ３５のこの実施形態において、図４６から図４８までに示されたようにスリット４１は省略されることができる。
【０１３３】
図５０は、完全に開かれた平面的な配列における、図４９に示されたような２つの弾性タブ３５を備えたベース箱５ａの形式の外部パッケージ５のための打ち抜かれたブランクの上面図を示している。弾性タブ３５は、共通の曲げ／折り縁部３６を介して、ベース箱のための打ち抜かれたブランクの側壁３７に一体的に結合されている。弾性タブ３５はそれぞれ折り線４２を介して弾性タブ延長部４３に結合されている。ブランクをベース箱５ａに折り曲げる場合、弾性タブ延長部４３は折り線４２において、弾性タブ３５は、側壁３７との共通の曲げ／折り縁部３６において、内方へ屈曲され、これにより、完成したベース箱５ａにおける弾性タブ延長部３５は、弾性タブ３５と側壁３７との間に得られた中空空間に位置させられる（図４９参照）。
【０１３４】
図５１は、完全に開かれた平面的な配列における、図４９及び図５０に示されたような、４つの弾性タブ３５を備えたベース箱５ａの形式の外部パッケージ５のための打ち抜かれたブランクの上面図を示している。この実施形態において、弾性タブ延長部４３を備えたこのような弾性タブ３５が、全ての４つの壁部４４において、折り畳まれたベース箱５ａの内部に設けられている。その他の参照符号は、上に示されたとおりであり、同じ意味を有する。
【０１３５】
図５２は、外部パッケージ５、すなわち短い弾性タブ３５′を備えたベース箱５ａの縦断面図を示しており、この場合、短い弾性タブ３５′は、それぞれ、ベース箱５ａの開口３８において、側壁３７との共通の曲げ／折り縁部３６のみを介して、外部パッケージ５に結合されている。したがって、短い弾性タブ３５′は、空のベース箱５ａの内部４８に自由に突出している。
【０１３６】
図５３は、図５２と同様の、外部パッケージ５の縦断面図であるが、外部パッケージ内にはブリスタユニット１が収納されている。本発明のこの特定の例示的な実施形態において、ブリスタユニットには側部においてノッチ４７が設けられており、このノッチ内に短い弾性タブ３５′が弾性的に捕捉され、これにより、ブリスタユニット１が外部パッケージ５又はベース箱５ａにロックされる。短い弾性タブ３５′のロッキング作用は、ブリスタユニット１におけるノッチ４７の存在に結合されていない。つまり、特に寸法、材料及び繊維方向に関して、短い弾性タブ３５′の実施形態の正しい選択により、所望のロッキング作用は、ブリスタユニット１にノッチ４７が設けられていなくとも達成されることができる。
【０１３７】
図５４は、図４８と同様の、ベース箱５ａの形式の外部パッケージ５のための打ち抜かれたブランクの上面図を示しているが、２つの短いタブ３５′は、図５２に示されているように、完全に開かれた平面的な配列になっている。この特定の実施形態において、このような短い弾性タブ３５′は、両方の側壁３７に設けられている。
【０１３８】
図５５から図５７までは、外部パッケージの実施形態、すなわち、ヒンジ式スリーブ４６とクロージャ１３と接触箇所４５とが設けられたベース箱５ａを示している。図５５は、ヒンジ式スリーブ４６が閉鎖されている外部パッケージ５を示しており、ヒンジ式スリーブ４６の再閉鎖を可能にする接触箇所４５は外側からは見えていない。最初に外部パッケージ５が開放されると、クロージャ１３が開放されなければならず、いたずら防止シールの場合には破壊されなければならない。図５６は、図５５の外部パッケージを前方から示しており、ヒンジ式スリーブ４６は開放されており、接触箇所４５は、ヒンジ式スリーブ４６における接触箇所４５ａと、側壁４４における対応する接触箇所４５ｂとから成っており、接触箇所４５ａと対応する接触箇所４５ｂとは、ヒンジ式スリーブ４６が閉鎖されることにより互いに適切に協働し、ヒンジ式スリーブ４６を閉鎖されたまま維持する。図５７は、開放された状態のヒンジ式スリーブ４６を備えた外部パッケージ５を後方から示しており、この特定の実施形態におけるヒンジ式スリーブ４６はミシン目２０を介して外部パッケージ５に結合されており、したがって、ヒンジ式スリーブ４６は、望まれるならば、ミシン目２０に沿って裂断することによって外部パッケージ５から分離されることができる。ヒンジ式スリーブ４６を解離するためのミシン目２０は選択的である。例えば、同様の形式において、シールストラップ３２又はヒンジ式蓋５ｃが、外部パッケージ５におけるミシン目を介して提供されることができる。
【０１３９】
例えば図５７に示されているようにミシン目を介して外部パッケージ５から分離されることができるヒンジ式スリーブ４６、シールストラップ３２又はヒンジ式蓋５ｃ等のクロージャ機構の場合、外部パッケージ５には好適には別の取外し不能な装置、例えば弾性タブが設けられており、この弾性タブは、パック内容物を外部パッケージの内部に固定し、不意に滑り出ない又は落下しないようにパック内容物を固定することができる。
【０１４０】
図５８及び図５９は、外部パッケージ５の実施形態、すなわち図５５及び図５６に示したようにヒンジ式スリーブ４６と裂断タブ２８と接触箇所４５とが設けられたベース箱５ａを示している。図５８は、ヒンジ式スリーブ４６が閉鎖されている外部パッケージ５を示しており、ヒンジ式スリーブの再閉鎖を可能にする接触箇所４５は外側からは見えていない。外部パッケージ５が最初に開放されるとき、裂断タブ２８は開放裂断されなければならず、ひいては、再閉鎖のために使用不能になる。図５９は、ヒンジ式スリーブ４６が開放された外部パッケージ５の前面図を示しており、この場合、接触箇所４５は、ヒンジ式スリーブ４６における接触箇所４５ａと、側壁４４における対応する接触箇所４５ｂとから成っており、ヒンジ式スリーブ４６が閉鎖されると、接触箇所４５ａと対応する接触箇所４５ｂとが適切に互いに相互作用し、ヒンジ式スリーブを閉鎖されたまま維持する。
【０１４１】
図６０及び図６１は、外部パッケージの実施形態、すなわちシールストラップ３２が設けられたベース箱５ａを示しており、外部パッケージ５が初めて開放される前には前記シールストラップはミシン目２０を介して外部パッケージ５に定置に結合されている。図６０は閉鎖された状態のこの外部パッケージ５を示している。図６１は、ミシン目２０を裂断することによって外部パッケージ５が初めて開放された後の図６０の外部パッケージ５を示している。この状態において、パック内容物１及び／又は２２が外部パッケージから取り出されることができる。外部パッケージを再閉鎖するために、この特定の実施形態におけるシールストラップ３２は、この目的のために側壁４４に設けられたスリット３３に挿入される。
【０１４２】
本発明による薬剤パックは、患者にオーラル・プレゼンテーション（例えば錠剤又はカプセル）を提供するために使用されることができる。本発明による薬剤パックは、それぞれのブリスタキャビティにおける同一の薬剤の提供のために及び、例えば２つ、３つ又は４つ以上の異なる薬剤を用いる組合せ治療に関連して、種々異なる薬剤が個々のブリスタキャビティに包含されている治療のために、適している。言及されてよい実施例は、十二指腸潰瘍、胃潰瘍等の、胃の酸誘発疾患、及び逆流性食道炎の中等度に重症及び重症な形式、を治療する場合に使用するための薬剤の提供である。したがって、本発明による薬剤パックは、能動物質として、パントプラゾール、オメプラゾール、エソメプラゾール、ランソプラゾール、ラベプラゾール等のプロトンポンプ阻害剤及び当業者に知られたその他のプロトンポンプ阻害剤、又はプロトンポンプ拮抗薬のクラスからの１つ又は２つ以上の能動物質、例えばソラプラザン、を含んでいる。しかしながら、薬剤パックは、例えばピロリ菌疾患の治療において、例えば消化性潰瘍を患う患者においてピロリ菌の根絶のために２つの適切な抗生物質とプロトンポンプ阻害剤を組み合わせた治療において、使用されることもでき、その目的は、この病原体によって誘発される十二指腸潰瘍及び胃潰瘍の再発率を低減することである。
【図面の簡単な説明】
【０１４３】
【図１】保護ケースとブリスタストリップとから成る、閉鎖されたブリスタユニット１を示している。
【図２】図１の本発明によるブリスタユニット１の内部を示している。
【図３】ＩＩＩの方向で見た側面図を示しており、図２の本発明によるブリスタユニット１の拡大された詳細な断面図を示している。
【図４】図２に示されたブリスタユニット１を示している。
【図５】閉鎖されたブリスタユニット１を示している。
【図６】図７のＶＩの方向で見た、本発明によるブリスタユニット１の内部の図を示している。
【図７】側面図を示しており、図６の本発明によるブリスタユニット１の拡大された詳細な断面図を示している。
【図８】図６及び図７の本発明によるブリスタユニットの、図７のＶＩＩＩの方向で見た、外側の図である。
【図９】図６と同様の、本発明によるブリスタユニット１の内部の図を示している。
【図１０】図９の方向Ｘで見た、図９の本発明によるブリスタユニットの側面図と、２つの拡大された詳細な断面図とを示している。
【図１１】ブリスタキャビティ及び打抜き穴の択一的な配列を示している。
【図１２】本発明によるブリスタユニットの内部の図を示している。
【図１３】図１２の本発明によるブリスタユニットの側面図と拡大された詳細な断面図とを示している。
【図１４】それぞれ後面の厚さの半分まで延びた２つの異なる幅を備えた、後面における二面切込みから成る押し破り補助手段を示している。
【図１５】直線的な横断スリットを備えた４つの楕円セグメント切込みから成る押し破り補助手段を示している。
【図１６】４つの楕円セグメント切込みと、直角に交差する２つの直線的な横断スリットとから成る押し破り補助手段を示している。
【図１７】４つの楕円セグメント切込みと、楕円セグメント切込みの間の部分における４つの直線的な横断スリットとから成る押し破り補助手段を示している。
【図１８】楕円ミシン目と４つの直線的な横断スリットとから成る押し破り補助手段を示している。
【図１９】図８による打抜き穴の形式の押し破り補助手段を示している。
【図２０】折り畳まれた状態の３つのブリスタユニットのグループを示している。
【図２１】３つのブリスタユニット１の部分的に折り畳まれたグループを示している。
【図２２】どのようにブリスタユニットが折り縁部を裂断することによって３つのブリスタユニットのグループから取り外されることができるかを示している。
【図２３】３つのブリスタユニット１のグループ２３を示している。
【図２４】完全に広げられた平面的な配列における３つのブリスタユニット１のグループ２３の上面図を示している。
【図２５】外部パッケージ、すなわち折畳み箱の実施形態を示している。
【図２６】可能な外部パッケージにおける紙片及びブリスタユニットの配列を、図２５に示された方向ＸＸＶＩから見た、側面図で示している。
【図２７】ベース箱と蓋とから成る、外部パッケージ、すなわち摺動箱の実施形態を示している。
【図２８】外部パッケージ５、すなわちたばこ容器形式の実施形態を示している。
【図２９】外部パッケージ５の実施形態、すなわちベース箱及び透明セロファン包装体を示している。
【図３０】外部パッケージの実施形態、すなわちベース箱及び蓋及び透明セロファン包装体を示している。
【図３１】外部パッケージの実施形態、すなわち掴み凹所を備えた箱と透明セロファン包装体とを示している。
【図３２】外部パッケージの実施形態、すなわち裂断タブを備えた、閉鎖されたスナップ開放式又は裂断開放式の箱を示している。
【図３３】外部パッケージの実施形態、すなわちミシン目を備えた、閉鎖されたスナップ開放式又は裂断開放式の箱を示している。
【図３４】開放された後の、図３３に示されたスナップ開放式又は裂断開放式の箱としての外部パッケージを示している。
【図３５】表面上に設置されることができるスナップ開放式の箱の形式の外部パッケージの実施形態を示している。
【図３６】外部パッケージの実施形態、すなわち傾斜フラップ箱を示している。
【図３７】３つのブリスタユニット１のグループと紙片との周囲の単純なセロファン包装体を示している。
【図３８】クランプスリーブの１つの実施態様を示す斜視図である。
【図３９】クランプスリーブの別の実施態様を示す斜視図である。
【図４０】クランプスリーブのさらに別の実施態様を示す斜視図である。
【図４１】クランプスリーブのさらに別の実施態様を示す斜視図である。
【図４２】外部パッケージを閉鎖するためにベース箱の高さの約３分の１に設けられたスリットに挿入される狭幅のシールストラップを示している。
【図４３】外部パッケージを閉鎖するためにベース箱の高さの約３分の１に設けられたスリットに挿入される狭幅のシールストラップを示している。
【図４４】外部パッケージを閉鎖するために、ベース箱の底部の近くに設けられたスリットに挿入されるシールストラップを示している。
【図４５】外部パッケージを閉鎖するために、ベース箱の底部の近くに設けられたスリットに挿入されるシールストラップを示している。
【図４６】パック内容物を備えない外部パッケージ５の実施形態、すなわち、向き合った側壁においてベース箱の内部に弾性タブが設けられた空のベース箱を、鳥瞰図で示している。
【図４７】外部パッケージ、すなわち弾性タブを備えたベース箱を、図４６に示されたＸＬＶＩＩの方向で見た側面図で示している。
【図４８】完全に開かれた平面的な配列における、図４６及び図４７に示されたようだ弾性タブを備えたベース箱のための打ち抜かれたブランクの形式の外部パッケージの上面図を示している。
【図４９】図４７に示された図と同様の外部パッケージ、すなわち弾性タブを備えたベース箱の側面図を示している。
【図５０】完全に開かれた平面的な配列における、図４９に示されたような２つの弾性タブを備えたベース箱の形式の外部パッケージ５のための打ち抜かれたブランクの上面図を示している。
【図５１】完全に開かれた平面的な配列における、４つの弾性タブを備えたベース箱の形式の外部パッケージのための打ち抜かれたブランクの上面図を示している。
【図５２】外部パッケージ、すなわち短い弾性タブを備えたベース箱の縦断面図を示している。
【図５３】図５２と同様の、外部パッケージの縦断面図であるが、外部パッケージ内にはブリスタユニット１が収納されている。
【図５４】ベース箱の形式の外部パッケージのための打ち抜かれたブランクの上面図を示している。
【図５５】ヒンジ式スリーブが閉鎖されている外部パッケージを示している。
【図５６】図５５の外部パッケージを前方から示している。
【図５７】開放された状態のヒンジ式スリーブを備えた外部パッケージを後方から示している。
【図５８】ヒンジ式スリーブが閉鎖されている外部パッケージを示している。
【図５９】ヒンジ式スリーブが開放された外部パッケージの前面図を示している。
【図６０】閉鎖された状態の外部パッケージを示している。
【図６１】ミシン目を裂断することによって外部パッケージが初めて開放された後の図６０の外部パッケージを示している。
【符号の説明】
【０１４４】
１  ブリスタユニット、  ２  ブリスタキャビティ、  ４  ブリスタストリップ、  ５ａ  ベース箱、  ５ｂ  蓋、  ６  保護ケース、  ７  後面、  ８  前面、  ９  背部、  １０  ブリスタ面、  １１，１２  折り線、  １３  クロージャ、  １４  端面、  １５  折り線、  １６  押し破り補助手段、  １７  ロッキング面、  １８  打抜き穴、  １９  楕円セグメント切込み、  １９ａ  横断スリット、  ２０  楕円ミシン目、  ２２  紙片、  ２５  結合部、  ２６  折り縁部、  ２７ａ，２７ｂ  二面切込み、  ２８  裂断タブ、  ２９  透明セロファン包装体、  ３１  クランプスリーブ、  ３２  シールストラップ、  ３３  スリット、  ３４  底部、  ３５  弾性タブ、  ３６  曲げ／折り縁部、  ３７  側壁、  ３８  開口、  ３９  弾性タブ端部、  ４０  底部、  ４１  スリット、  ４２  折り線、  ４３  弾性タブ延長部、  ４４  側壁、  ４５  接触箇所、  ４６  ヒンジ式スリーブ、  ４７  側壁、  ４８  内部、  ５２  裂断ストリップ
【図１】
2007511254.tif 000003
【図２】
2007511254.tif 000004
【図３】
2007511254.tif 000005
【図４】
2007511254.tif 000006
【図５】
2007511254.tif 000007
【図６】
2007511254.tif 000008
【図７】
2007511254.tif 000009
【図８】
2007511254.tif 000010
【図９】
2007511254.tif 000011
【図１０】
2007511254.tif 000012
【図１１】
2007511254.tif 000013
【図１２】
2007511254.tif 000014
【図１３】
2007511254.tif 000015
【図１４】
2007511254.tif 000016
【図１５】
2007511254.tif 000017
【図１６】
2007511254.tif 000018
【図１７】
2007511254.tif 000019
【図１８】
2007511254.tif 000020
【図１９】
2007511254.tif 000021
【図２０】
2007511254.tif 000022
【図２１】
2007511254.tif 000023
【図２２】
2007511254.tif 000024
【図２３】
2007511254.tif 000025
【図２４】
2007511254.tif 000026
【図２５】
2007511254.tif 000027
【図２６】
2007511254.tif 000028
【図２７】
2007511254.tif 000029
【図２８】
2007511254.tif 000030
【図２９】
2007511254.tif 000031
【図３０】
2007511254.tif 000032
【図３１】
2007511254.tif 000033
【図３２】
2007511254.tif 000034
【図３３】
2007511254.tif 000035
【図３４】
2007511254.tif 000036
【図３５】
2007511254.tif 000037
【図３６】
2007511254.tif 000038
【図３７】
2007511254.tif 000039
【図３８】
2007511254.tif 000040
【図３９】
2007511254.tif 000041
【図４０】
2007511254.tif 000042
【図４１】
2007511254.tif 000043
【図４２】
2007511254.tif 000044
【図４３】
2007511254.tif 000045
【図４４】
2007511254.tif 000046
【図４５】
2007511254.tif 000047
【図４６】
2007511254.tif 000048
【図４７】
2007511254.tif 000049
【図４８】
2007511254.tif 000050
【図４９】
2007511254.tif 000051
【図５０】
2007511254.tif 000052
【図５１】
2007511254.tif 000053
【図５２】
2007511254.tif 000054
【図５３】
2007511254.tif 000055
【図５４】
2007511254.tif 000056
【図５５】
2007511254.tif 000057
【図５６】
2007511254.tif 000058
【図５７】
2007511254.tif 000059
【図５８】
2007511254.tif 000060
【図５９】
2007511254.tif 000061
【図６０】
2007511254.tif 000062
【図６１】
2007511254.tif 000063
【国際調査報告】
2007511254.tif 000064
2007511254.tif 000065
2007511254.tif 000066
2007511254.tif 000067
2007511254.tif 000068